(57)【要約】【課題】外箱と中箱が別体で使いやすく、中箱は中箱形成片を組み立てて簡単に作られ、確実に収容物を保護し、収容物を覆った状態で外箱から収容物とともに簡単に取り出して使用することができる中箱付き包装用箱を提供する。【解決手段】外箱１２と中箱１４が別体であり、外箱１２は上方が開口する有底筒状である。中箱１４は中箱形成片１６からなり、収容物１１を保持して外箱１４の開口から入れられて収容される。中箱１４は、外箱１２の開口を閉鎖する蓋片２８を一体に備える。中箱形成片１６は、透明な合成樹脂から成る。【選択図】図１
2018002180.tif 000002
【特許請求の範囲】
【請求項１】
外箱と中箱が別体であり、前記外箱は上方が開口する有底筒状であり、前記中箱は中箱形成片からなり、収容物を保持して前記外箱の開口から入れられて収容され、前記中箱には、前記外箱の前記開口を閉鎖する蓋片が一体に設けられていることを特徴とする中箱付き包装用箱。
【請求項２】
前記中箱形成片は、透明な合成樹脂で作られている請求項１記載の中箱付き包装用箱。
【請求項３】
前記中箱形成片は、厚紙で作られている請求項１記載の中箱付き包装用箱。
【請求項４】
前記中箱形成片は、外箱の一側面の内側に沿って入れられる内側面と、前記内側面の下端部に連続して交差する底面が設けられ、前記底面の前記内側面と反対側の端部には、立上片と上面片、糊付片、及び下面片が、互いに折罫線で区切られて一方向に連接して設けられ、前記立上片と前記上面片、前記糊付片、及び前記下面片は、前記中箱の組立状態で前記底面から離間する四角筒体に形成され、前記糊付片が前記内側面に糊付けされて前記上面片は前記内側面に対して交差して設けられ、前記上面片には前記収容物が嵌合されて保持される嵌合部が設けられている請求項１、２又は３記載の中箱付き包装用箱。
【請求項５】
前記上面片の連接方向に対して平行な側縁部には折罫線で区切られて上閉鎖片が設けられ、前記下面片の連接方向に対して平行な側縁部には折罫線で区切られて下閉鎖片が設けられ、前記内側面の連接方向に対して平行な側縁部には折罫線で区切られて差込閉鎖片が設けられ、前記中箱の組み立て状態で、前記上閉鎖片と前記下閉鎖片、前記差込閉鎖片は前記各折罫線で折り曲げられて、前記立上片と前記上面片、前記糊付片、前記下面片で形成される四角筒の端部を閉鎖する１つの平面上に位置し、互いに連結して保形性を有する請求項１又は４記載の中箱付き包装用箱
【請求項６】
前記蓋片は、前記内側面の上方に位置する端部に設けられ、前記内側面の、前記蓋片が設けられた端部に交差する一対の側縁部には前記内側面に対して略直角に折り曲げられる側方片が設けられ、前記差込閉鎖片は前記側方片に設けられている請求項１又は５記載の中箱付き包装用箱。
【請求項７】
前記蓋片には差込片が設けられ、前記外箱の開口縁部にはフラップが設けられ、前記開口部を前記フラップで覆い、前記フラップの表面を前記蓋片が覆い、前記差込片を前記外箱の一側面の内側に差し込んで係止し、閉鎖する請求項１記載の中箱付き包装用箱。
【発明の詳細な説明】
【技術分野】
【０００１】
この発明は、外箱と、外箱の中に入れられて収容物を保持する中箱が設けられた中箱付き包装用箱に関する。
【背景技術】
【０００２】
従来、ブランクシートから一体的に打ち抜かれた箱体形成片を折り曲げて糊付けして形成する包装用箱には、箱体の内側にガラス瓶等の衝撃に弱い収容物を保持するための緩衝用の仕切り片が設けられているものがある。例えば、特許文献１の包装用箱の場合、箱体の組み立て状態で底部分から立ち上がる立上片と、立上片に連続する上面片と、上面片に連続する側面に糊付けされる仕切り用糊付片が、互いに折罫線で区切られて設けられている。立上片と上面片の間の折罫線上には、収容物が嵌合される嵌合部が形成されている。
【先行技術文献】
【特許文献】
【０００３】
【特許文献１】特開２０１０−２０８６４６号公報
【発明の概要】
【発明が解決しようとする課題】
【０００４】
上記背景技術の場合、箱体と仕切り片が一体となっているものであり、仕切り片を箱体から取り出すものではない。一方、抗がん剤等の薬液の包装について、薬剤の暴露を防ぎ、薬剤を扱う作業者の安全面を考慮した包装材が考えられている。例えば、薬剤を入れたバイアルを収容する樹脂製の成形品を設け、成形品とともにバイアルを箱体に収容して包装し、薬剤を使用する時は、バイアルに直接触れずに成形品を保持して箱体から取り出すものである。取り出した後は、成形品が作業台の上に自立し、バイアルを立たせておき、成形品を保持しながらバイアルの中の薬液を注射器に移す作業をすることができる。これにより、作業者に薬剤が付くことを防ぎ、安全性を高めることができる。しかし、成形品では金型代のコストがかかるという問題がある。従って、暴露をできるだけ防いで安全性を高め、取り扱い性が良く、コストも抑えることができる包装形態が求められている。
【０００５】
この発明は、上記背景技術の問題点に鑑みてなされたものであり、外箱と中箱が別体で使いやすいものであり、中箱は中箱形成片を組み立てて簡単に作られ、確実に収容物を保護し、収容物を覆った状態で外箱から収容物とともに簡単に取り出して使用することができる中箱付き包装用箱を提供することを目的とする。
【課題を解決するための手段】
【０００６】
本発明は、外箱と中箱が別体であり、前記外箱は上方が開口する有底筒状であり、前記中箱は中箱形成片からなり、収容物を保持して前記外箱の開口から入れられて収容され、前記中箱には、前記外箱の前記開口を閉鎖する蓋片が一体に設けられている中箱付き包装用箱である。前記中箱付き包装用箱を開封した後は前記蓋片を保持して引き出し、前記外箱から前記中箱を取り出すものである。前記中箱形成片は、例えばＰＰ等の透明な合成樹脂で作られている。又は、前記中箱形成片は、厚紙で作られていても良い。
【０００７】
また、前記中箱形成片は、外箱の一側面の内側に沿って入れられる内側面と、前記内側面の下端部に連続して交差する底面が設けられ、前記底面の前記内側面と反対側の端部には、立上片と上面片、糊付片、及び下面片が、互いに折罫線で区切られて一方向に連接して設けられている。前記立上片と前記上面片、前記糊付片、及び前記下面片は、前記中箱の組立状態で四角筒体に形成され、前記糊付片が前記内側面に糊付けされて四角筒体が保形されている。前記上面片は前記内側面に対して交差して設けられ、前記上面片には前記収容物が嵌合されて保持される嵌合部が設けられている。
【０００８】
また、前記上面片の連接方向に対して平行な側縁部には折罫線で区切られて上閉鎖片が設けられ、前記下面片の連接方向に対して平行な側縁部には折罫線で区切られて下閉鎖片が設けられ、前記内側面の連接方向に対して平行な側縁部には折罫線で区切られて差込閉鎖片が設けられている。前記中箱の組み立て状態で、前記上閉鎖片と前記下閉鎖片、前記差込閉鎖片は前記各折罫線で折り曲げられて、前記立上片と前記上面片、前記糊付片、前記下面片で形成される四角筒の端部を閉鎖する１つの平面上に位置し、互いに連結して高い保形性を有するものである。
【０００９】
また、前記蓋片は、前記内側面の上方に位置する端部に設けられ、前記内側面の、前記蓋片が設けられた端部に交差する一対の側縁部には前記内側面に対して略直角に折り曲げられる側方片が設けられ、前記差込閉鎖片は前記側方片に設けられている。
【００１０】
また、前記蓋片には差込片が設けられ、前記外箱の開口縁部にはフラップが設けられている。前記開口部を前記フラップで覆い、前記フラップの表面を前記蓋片が覆い、前記差込片を前記外箱の一側面の内側に差し込んで係止し、閉鎖するものである。
【００１１】
また、前記上面片の前記嵌合部は円形であり、円周には前記嵌合部の内側に突出するフラップが設けられ、前記フラップの基端部には、前記嵌合部の円周に沿う折罫線が設けられている。
【発明の効果】
【００１２】
本発明の中箱付き包装用箱は、外箱と中箱が別体で使いやすいものであり、中箱は中箱形成片を組み立てて簡単に作られ、収容物を覆った状態で、外箱から収容物とともに中箱を簡単に取り出すことができる。中箱の蓋片により外箱が閉鎖されているため、中箱が外箱に組み付けられて、確実に収容される。また、蓋片を開封した時に蓋片を保持して引き上げるだけで、中箱を外箱から取り出すことができ、操作が簡単である。取り出した後は、中箱を保持して収容物を扱うことが可能である。このため、作業者が収容物に接触することなく、収容物が、身体に接触すると影響を与えるような薬液が入れられたバイアル等でも比較的安全に操作することができる。収容物についての情報を印刷することもでき、薬剤の取り扱い時における注意喚起等に役立つ。また、中箱は緩衝機能を有し、確実に収容物を保護して収容物の破損を防ぎ、高価な薬液が入れられたバイアル等を安全に輸送し保管することができる。
【図面の簡単な説明】
【００１３】
【図１】この発明の一実施形態の中箱付き包装用箱の斜視図である。
【図２】この中箱付き包装用箱の包装が完了した状態を示す斜視図である。
【図３】この中箱付き包装用箱の中箱の展開図である。
【図４】この中箱付き包装用箱の外箱の展開図である。
【発明を実施するための形態】
【００１４】
以下、この発明の実施形態について図面に基づいて説明する。図１〜図４はこの発明の一実施形態を示すもので、この実施形態の中箱付き包装用箱１０は、厚紙等の一枚のブランクシートを打ち抜いて形成された外箱形成片８２を組み立てて作られた外箱１２と、外箱１２の中に入れられて収容物１１を保持する中箱１４が設けられている。
【００１５】
ここで、中箱１４について説明する。中箱１４は、適度な柔軟性を有する透明な合成樹脂シートを打ち抜いて形成された中箱形成片１６を組み立てて形成されている。合成樹脂シートは、例えばＰＰである。図３は、中箱形成片１６を表面から見た展開図であり、中箱形成片１６は、外箱１２の後述する側面８４の裏面に重ねられる内側面１８が設けられている。内側面１８は、一方向に長い矩形に形成されている。
【００１６】
内側面１８の長い一対の側縁部には、側方片２２が各々折罫線２４で区切られて各々設けられている。一対の側方片２２は、互いに同形状であり、折罫線２４に対して平行な長さは内側面１８とほぼ等しく、折罫線２４に対して直角な長さは、内側面１８よりも細い矩形であり、折罫線２４と反対側は折罫線２４に対して平行な直線の側縁部２２ａで形成されている。側方片２２の、折罫線２４に交差する一方の端部２２ｂは、外側に膨出する曲線で形成されている。端部２２ａと反対側の端部２２ｃには、側縁部２２ａの外側に突出する差込閉鎖片２６が設けられている。差込閉鎖片２６は、側縁部２２ａの長手方向の途中で側縁部２２ａに対して直角に位置する端部２６ａと、端部２６ａに直角に連続する端部２６ｂと、側縁部２２ａの延長線で所定長さに形成された切込線２６ｃが設けられて、側縁部２２ａの側方に位置する矩形が形成されている。端部２６ｂの、端部２６ａと反対側は、端部２２ｃに連続し、端部２２ｃは、折罫線２４に対して傾斜して折罫線２４の端部に達している。
【００１７】
内側面１８の、側方片２２の端部２２ｂ側に位置する端部には、矩形の蓋片２８が折罫線３０で区切られて設けられている。蓋片２８は、折罫線３０に対して平行な長さが内側面１８より少し長く、折罫線３０に対して直角は長さがそれよりも少し長い矩形である。蓋片２８の、折罫線３０と反対側の端部には、差込片３２が折罫線３４で区切られて設けられている。
【００１８】
内側面１８の、折罫線３０と反対側の端部には、矩形の底面３６が折罫線３８で区切られて設けられている。底面３６は、折罫線３８と平行な長さが内側面１８と同じであり、折罫線３８に対して直角方向はそれより少し短い矩形に形成されている。後述する外箱１２の底部よりも少し小さい形状である。
【００１９】
底面３６の、折罫線３８と反対側の端部には、矩形の立上片４０が折罫線４２で区切られて設けられている。立上片４０は、折罫線４２に対して平行な長さが底面３６と同じであり、折罫線４２に対して直交する長さが底面３６よりも少し長い矩形である。
【００２０】
立上片４０の、折罫線４２と反対側の端部には、矩形の上面片４４が折罫線４６で区切られて設けられている。上面片４４は底面３６とほぼ同じ大きさの矩形であり、中箱形成片１６の組立状態で底面３６に対して、立上片４０の長さを開けて平行に位置するものである。上面片４４の中心には、後述する収容物１１が嵌合される嵌合部４８が設けられている。嵌合部４８は円形であり、円周上の３箇所に、内側に突出する半円形のフラップ５０が設けられている。フラップ５０の基端部には、嵌合部４８の円周に沿う折罫線５２が各々設けられている。上面片４４の、折罫線４６に対して直交する一対の側縁部には、上閉鎖片５４が折罫線５６で区切られて各々設けられている。上閉鎖片５４は、折罫線５６と平行な長さが上面片４４と同じであり、折罫線５６と直角な長さが上面片４４より短い矩形である。上閉鎖片５４の、折罫線５６と反対側の側縁部５４ａの中心には矩形の切欠部５８が設けられている。
【００２１】
上面片４４の、折罫線４６と反対側の端部には、矩形の糊付片６０が折罫線６２で区切られて設けられている。糊付片６０は、中箱形成片１６の組立状態で内側面１８の裏面に糊付けされるものであり、組立状態で立上片４０に対して平行で、上面片４４に対して直角に位置するものである。糊付片６０は、折罫線６２と平行な長さが上面片４４と同じであり、折罫線４２に対して直交する長さが上面片４４より短い矩形である。なお、折罫線４２に対して直交する長さは立上片４０よりも短い。
【００２２】
糊付片６０の、折罫線６２と反対側の端部には、矩形の下面片６４が折罫線６６で区切られて設けられている。下面片６４は、中箱形成片１６の組立状態で上面片４４に対して糊付片６０の長さを開けて平行に位置し、底面３６にも立上片４０と糊付片６０の長さの差を開けて平行に位置するものである。下面片６４の、折罫線６６に対して直交する一対の側縁部には、下閉鎖片６８が折罫線７０で区切られて各々設けられている。下閉鎖片６８は、折罫線７０と平行な長さが下面片６４と同じであり、折罫線７０に対して直交する長さが下面片６４より短い矩形である。下閉鎖片６８の、折罫線７０と反対側の側縁部６８ａの中心には矩形の突出部７２が設けられている。
【００２３】
下面片６４の、折罫線６６と反対側の端部には、矩形の糊付片７４が折罫線７６で区切られて設けられている。糊付片７４は、立上片４０の裏面に糊付けされるものである。
【００２４】
なお、各折罫線は、折り曲げやすいように破断線で設けられてもよい。
【００２５】
次に、この実施形態の中箱１４の組立方法の一例について説明する。なお、ここでは図３が中箱１４の中箱形成片１６の表面を見たものであり、中箱形成片１６の表面が凸になる折り方を正折り、そして裏面が凸になる折り方を逆折りと称する。
【００２６】
まず、糊付片７４の裏面に糊７８を塗布し、折罫線６２を正折りして、糊付片７４の裏面を立上片４０の裏面に糊付けする。次に糊付片６０の表面に糊８０を塗布し、折罫線４２を正折りして、糊付片６０の表面を内側面１８の裏面に糊付けする。中箱形成片１６は、折り畳み状態となり、中箱１４はこの折り畳み状態で出荷される。
【００２７】
次に、収容物１１を収容し包装する工場等において、折罫線３８，４２，４６，６２，６６を各々９０°で正折りし、立上片４０、上面片４４、糊付片６０、下面片６４を四角形の筒体にする。なお、折罫線７６は逆折りされる。次に、筒体の両端部で、上閉鎖片５４を折罫線５６で９０°に正折りし、下閉鎖片６８を折罫線７０で９０°に正折りする。この時、下閉鎖片６８が上閉鎖片５４の表面側にくるように重ね、下閉鎖片６８の突出部７２を上閉鎖片５４の切欠部５８に差し込み、係止して、筒体の端部を閉鎖する。次に、内側面１８の両側で側方片２２を折罫線２４で９０°に正折りし、差込閉鎖片２６を、上閉鎖片５４と下閉鎖片６８に重ね、差込閉鎖片２６の端部２６ａを、上閉鎖片５４の切欠部５８に差し込み、係止する。これにより、立上片４０と上面片４４、糊付片６０、下面片６４で形成される四角筒の端部を閉鎖する１つの平面上に位置し、互いに連結して高い保形性を有して中箱１４は立体的に組み立てられ、底面３６で自立可能となる。次に、組み立てられた中箱１４に、収容物１１を入れる。収容物１１は、例えば液体の薬剤が入れられたバイアルである。収容物１１を上面片４４の嵌合部４８に入れる。嵌合部４８のフラップ５０は、収容物１１の側面に押されて折罫線５２で下向きに弾性変形し、収容物１１を両側から付勢して挟持する。収容物１１の底部は、下面片６４に当接して底面３６から離間して緩衝的に保持される。
【００２８】
収容物１１を入れた中箱１４は、外箱１２に入れて包装する。ここで、外箱１２について説明する。外箱１２は、厚紙等の一枚のブランクシートを打ち抜いて形成された外箱形成片８２を組み立てて作られたものであり、図４は中箱形成片８２を表面から見た展開図である。外箱１２は、４つの側面８４，８６，８８，９０が互いに平行に連接されて設けられ、糊付片９１で糊付けされて四角筒状に組み立てられる。筒体の下方の開口端部は、一対の底蓋片９２と一対のフラップ９４が組み立てられ閉鎖され、箱体として保形性を維持している。側面８４の上方の端部には、側面８４に折り返される折り返し片９６が折罫線９８で区切られて設けられている。側面８６，９０の上方の端部には、互いに同形の矩形のフラップ１００が折罫線１０２で各々区切られて設けられている。側面８８の上方の端部には、開封用の凹部１０４が円弧状に切り欠かれて設けられている。外箱１２は、中箱１４を中に入れた時にがたつきが生じることがない大きさに設けられている。また、収容物１１の取扱説明書を収容する空隙を有する大きさでもよい。
【００２９】
図１に示すように、側面８４，８６，８８，９０と、底蓋片９２、フラップ９４を組み立てた外箱１２の中に、収容物１１を保持した中箱１４を入れる。この時、外箱１２の折り返し片９６は折罫線９８で正折りされて側面８４の裏面に重ね、中箱１４の内側面１８が、外箱１２の側面８４と折り返し片９６に対面するように入れる。中箱１４の蓋片２８は、外箱１２の折罫線９８の外側に突出する。
【００３０】
次に、外箱１２の一対の折罫線１０２でフラップ１００を正折りし、その後、中箱１４の折罫線３０で蓋片２８を正折りし、さらに折罫線３４を正折りして差込片３２を外箱１２の側面８８の内側に差し込み、閉鎖して、図２に示すように中箱付き包装用箱１０の包装が完了する。収容物１１は、外箱１２の側面８４，８６，８８，９０と、底蓋片９２から離れて緩衝的に保持され、外箱１２に安全に収容される。
【００３１】
中箱付き包装用箱１０に収容された収容物１１の薬剤を使用する時は、中箱１４の蓋片２８を、中箱１４の側面８８の凹部１０４に指を入れて引き上げ、開封する。蓋片２８を開き、さらに一対のフラップ１００を開き、蓋片２８を保持して上方に引き上げる。収容物１１に触れずに、外箱１２から取り出して、机や作業台等、任意の場所に置く。中箱１４は、自立し、転倒しづらい。そして、収容物１１に入れられた薬剤を注射器等に注入する作業を、内側面１８や側方片２２、立上片４０等を保持しながら行い、収容物１１に触れずに中の薬液を注射器等に移して使用する。中箱１４は、透明な合成樹脂シートで作られているため、収容物１１に貼られている商品名等を記載したラベルを視認することができ、薬液を確認して作業を行う。
【００３２】
この実施形態の中箱付き包装用箱１０によれば、外箱１２と中箱１４が別体で使いやすいものであり、中箱１４はブランクシートを打ち抜いて形成した中箱形成片１６を組み立てて簡単に作られ、製造効率が良好で、コストが安価である。中箱１４は、収容物１１を、上面片４４の嵌合部４８で保持して内側面１８、立上片４０、側方片２２から離間し、また下面片６４で保持して底面３６から離間しているため、緩衝効果が高く収容物１１を保護することができる。収容物１１の破損を防ぎ、高価な薬液を安全に輸送し保管することができる。外箱１２に入れた状態でも、外箱１２から出した状態でも、高い緩衝機能を有し、安全である。
【００３３】
また、中箱付き包装用箱１０は、中箱１４の蓋片２８により外箱１２が閉鎖され蓋片２８は差込片３２が外箱１２の側面８８の裏面に差し込まれているため、中箱１４が外箱１２に組み付けられて、確実に収容され、がたつきが無く、運送中等の振動で中箱１４が外箱１２の中で揺れることがない。また、蓋片２８を開封した時に蓋片２８を保持して引き上げるだけで、中箱１４を外箱１２から取り出すことができる。中箱１４を持ち替える必要がなく、簡単な操作で取り出すことができる。
【００３４】
中箱１４は、収容物１１を覆った状態で外箱１２から収容物１１とともに取り出して使用することができる。このため、作業者が収容物１１に接触することなく中箱１４を保持して収容物１１を扱うことが可能であり、身体に接触すると影響を与えるような薬液が入れられたバイアル等を、安全に操作することができる。中箱１４はＰＰ等で作られ、製造や組立が容易であり、しかも透明であるため収容物１１のラベルなどを視認しやすく、誤認することがなく、作業も容易となる。中箱１４に、収容物１１についての情報を印刷することもでき、薬剤の取り扱い時における注意喚起等に役立つものである。
【００３５】
なお、この発明の中箱付き包装用箱は、上記実施形態に限定されるものではなく、中箱の立上片や上面片、糊付片、下面片等の配置や連接する順番は自由に変更可能であり、組み立てる順番も適宜変更可能である。上閉鎖片と、下閉鎖片、差込閉鎖片を互いに連結して保形性を有する構造はこれ以外でもよい。中箱の大きさや、上面片、嵌合部等の形状は、収容物に合わせて適宜変更可能である。外箱も、各部材の形状や、底部、上方の端部の構造等、自由に設計することができる。折り返し片はなくてもよい。フラップの形状も自由に変更可能であり、外側から異物が混入しない構造であれば良い。中箱の蓋片や差込片の形状も自由に変更可能であり、簡単に外箱の開口を閉鎖し、容易に保持して中箱を外箱から引き出して移動させることができるものであればよい。中箱の差込片が外箱の側面に糊付けされていてもよく、その際は側面に、糊付された部分を切断する開封用破断線が設けられてもよい。中箱の材料は、ＰＰ以外に厚紙でもよく、自由に変更可能であるが、樹脂シートなどの素材が比較的適している。
【符号の説明】
【００３６】
１０  中箱付き包装用箱
１２  外箱
１１  収容物
１４  中箱
１６  中箱形成片
１８  内側面
２２  側方片
２６  差込閉鎖片
２８  蓋片
３２  差込片
３６  底面
４０  立上片
４４  上面片
４８  嵌合部
５４  上閉鎖片
６０  糊付片
６４  下面片
６８  下閉鎖片
８４  側面
１００  フラップ
【図１】
2018002180.tif 000003
【図２】
2018002180.tif 000004
【図３】
2018002180.tif 000005
【図４】
2018002180.tif 000006